(57)【特許請求の範囲】
【請求項１】
走行機体フレームに支持される座席支持台の上部に連結する運転座席と、座席支持台の前側に位置する運転ステップと、運転ステップの前側に位置する操縦塔と、前記運転ステップの上面に設けた開口から前記運転ステップの上方空間に斜め後方向きに突出する操作ペダルとが備えられた搭乗型運転部を有するコンバインであって、座席支持台、運転ステップ及び操縦塔を、一つの構造体に形成し、かつ、前記運転ステップの上面より高く非踏込み状態にある前記操作ペダルの踏面よりも低い箇所でその操作ペダルよりも走行機体の前端側に位置する走行機体横向きの軸芯まわりで走行機体に対して一体に回動して座席支持台が走行機体フレームに載る閉じ位置と、座席支持台が走行機体フレームから上昇離間する開き位置とに切り換えできるように回動自在に取り付けてあるコンバイン。
【請求項２】
前記座席支持台がエンジンを覆うボンネットに形成されている請求項１記載のコンバイン。
【請求項３】
走行機体フレームに支持される座席支持台の上部に連結する運転座席と、座席支持台の前側に位置する運転ステップと、運転ステップの前側に位置する操縦塔とが備えられた搭乗型運転部を有するコンバインであって、座席支持台、運転ステップ及び操縦塔を、一つの構造体に形成し、かつ、前記操縦塔の上端部に位置する走行機体横向きの軸芯まわりで走行機体に対して一体に回動して座席支持台が走行機体フレームに載る閉じ位置と、座席支持台が走行機体フレームから上昇離間する開き位置とに切り換えできるように回動自在に取り付けてあるコンバイン。
【請求項４】
前記座席支持台、前記運転ステップ及び前記操縦塔が合成樹脂で作成されている請求項１〜３のいずれか１項に記載のコンバイン。
【発明の詳細な説明】
【０００１】
【発明の属する技術分野】
本発明は、走行機体フレームに支持される座席支持台の上部に連結する運転座席と、座席支持台の前側に位置する運転ステップと、運転ステップの前側に位置する操縦塔とが備えられた搭乗型運転部を有するコンバインに関する。
【０００２】
【従来の技術】
上記コンバインにおいて、従来、たとえば実開昭６２−１１２６１２号公報に示されるように、運転ステップと操縦塔が機体フレームに固定され、座席支持台が機体フレームに揺動自在に取り付けられているものがあった。すなわち、座席支持台を開け、座席支持台でカバーされるエンジンなどを点検したり修理したりできるようになったものがあった。
【０００３】
【発明が解決しようとする課題】
従来、座席支持台を開けても、作業用スペースの面から点検や修理作業がしにくくなることがあった。
本発明の目的は、作業用スペースを大きくしかも操作容易に確保できるコンバインを提供することにある。
【０００４】
【課題を解決するための手段】
請求項１による発明の構成、作用、効果はつぎのとおりである。
【０００５】
〔構成〕
走行機体フレームに支持される座席支持台の上部に連結する運転座席と、座席支持台の前側に位置する運転ステップと、運転ステップの前側に位置する操縦塔と、運転ステップの上面に設けた開口から運転ステップの上方空間に突出する操作ペダルとが備えられた搭乗型運転部を有するコンバインにおいて、座席支持台、運転ステップ及び操縦塔を、一つの構造体に形成し、かつ、運転ステップの上面より高く非踏込み状態にある前記操作ペダルの踏面よりも低い箇所でその操作ペダルよりも走行機体の前端側に位置する走行機体横向きの軸芯まわりで走行機体に対して一体に回動して座席支持台が走行機体フレームに載る閉じ位置と、座席支持台が走行機体フレームから上昇離間する開き位置とに切り換えできるように回動自在に取り付けてある。
【０００６】
〔作用〕
座席支持台、運転ステップ及び操縦塔を前記軸芯まわりで一体に回動させて、座席支持台でカバーされる部分の他に運転ステップでカバーされる部分も開放するとともに、座席支持台も運転ステップも機体フレームから上昇させ、座席支持台でカバーされる部分などを点検するとか修理するとかのための作業用スペースを形成する。座席支持台でカバーされる部分も運転ステップでカバーされる部分も開放することにより、しかも、座席支持台も運転ステップも機体フレームから上昇することにより、作業用スペースが広く形成される。
【０００７】
〔効果〕
座席支持台がエンジン用ボンネットに形成してあってその原動部を点検したり修理するとかの場合や、座席支持台が走行用などの伝動構造のカバーに形成してあってその伝動ベルトやミッションなどを点検したり修理するとかの場合など、座席支持台及び運転ステップを一挙に開放して広い作業用スペースを操作容易に確保できるとともに、広い作業用スペースの下で楽に能率よく作業できる。
【０００８】
請求項２による発明の構成、作用、効果はつぎのとおりである。
【０００９】
〔構成〕
請求項１による発明の構成において、前記座席支持台がエンジンを覆うボンネットに形成されている。
【００１０】
〔作用〕
座席支持台、運転ステップ及び操縦塔を一体に回動させて、座席支持台でカバーされるエンジンを開放するとともに、運転ステップでカバーされるエンジン付近も開放するものである。
座席支持台がエンジン用ボンネットの場合、座席支持台と運転ステップの間や運転ステップと操縦塔の間に隙間ができると、この隙間から塵埃がエンジン側に入り込むとか、原動部の放熱や騒音が運転部側に漏れ出るとかのトラブルが発生しやすくなるが、座席支持台、運転ステップ及び操縦塔が一つの構造体になっていることにより、隙間ができにくくなって前記トラブルを回避しやすくなる。
【００１１】
〔効果〕
原動部を点検したり修理するとかの場合、エンジンを大きく開放するとともにその付近も開放した広い作業用スペースを確保して楽に能率よく作業できる。
エンジン側に塵埃が入りにくくてラジエータの塵埃付着に起因する冷却不良の発生が回避しやすくなるとか、原動部から運転部に熱気や騒音が漏れ出にくくて快適に運転できるようになる。
【００１６】
請求項３による発明の構成、作用、効果はつぎのとおりである。
【００１７】
〔構成〕
走行機体フレームに支持される座席支持台の上部に連結する運転座席と、座席支持台の前側に位置する運転ステップと、運転ステップの前側に位置する操縦塔とが備えられた搭乗型運転部を有するコンバインにおいて、座席支持台、運転ステップ及び操縦塔を、一つの構造体に形成し、かつ、前記操縦塔の上端部に位置する走行機体横向きの軸芯まわりで走行機体に対して一体に回動して座席支持台が走行機体フレームに載る閉じ位置と、座席支持台が走行機体フレームから上昇離間する開き位置とに切り換えできるように回動自在に取り付けてある。
【００１８】
〔作用〕
操縦塔の直前方に刈取り前処理部の引き起こし装置が位置することがある。そして、座席支持台が閉じ位置から上昇していくに伴って操縦塔の上端側が軸芯より機体前方側に突出していくことになっても、かつ、操縦塔と引き起こし装置とが極力近接するように構成して、座席支持台を閉じた際の操縦塔と引き起こし装置との間隔が狭くなっても、その間隔の割りには、操縦塔が引き起こし装置に当たらないようにしながら座席支持台を機体フレームから大きく上昇して開放するようにできる。
【００１９】
〔効果〕
操縦塔と引起こし装置とを極力近接させて、前処置部が機体から前方に突出する長さが極力短くて操縦しやすいものにできる。その割りには、座席支持台及び運転ステップが大きく上昇開放して作業用スペースを広く確保し、点検や修理などの作業を楽にかつ能率よくできる。
【００２０】
請求項４による発明の構成、作用、効果はつぎのとおりである。
【００２１】
〔構成〕
請求項１〜３のいずれか１項による発明の構成において、前記座席支持台、前記運転ステップ及び前記操縦塔が合成樹脂で作成されている。
【００２２】
〔作用〕
座席支持台、運転ステップ及び操縦塔が合成樹脂製で比較的軽くなり、それらを開閉するための回動操作が比較的軽くできる。
【００２３】
〔効果〕
座席支持台や運転ステップの開閉操作を軽く行い、この開閉操作面からも点検や修理などの作業を楽に行える。
【００２４】
【発明の実施の形態】
図１及び図２に示すように、クローラ走行装置１によって自走するように構成し、エンジン２が設けられている原動部、エンジン２の上方に位置する運転座席３などが設けられている搭乗型運転部を備える自走機体に、運転部の後横側に位置する脱穀装置４、運転部の直後方に位置する穀粒タンク５を搭載するとともに、前記自走機体の前部に刈取り前処理部６を昇降操作自在に備えさせてある。刈取り前処理部６が複数条の植立穀稈を引き起こすとともに刈取り、刈取り穀稈を機体後方に搬送して脱穀装置４の脱穀フィードチェーンに供給し、脱穀装置４からの脱穀粒を穀粒タンク５に貯留するように構成するとともに、穀粒タンク５の後部に連結する縦スクリューと、この縦スクリューの上端部に連結する横スクリューとで成るオーガ７によって脱穀粒を穀粒タンク５から取り出すように構成して、コンバインを構成してある。
【００２５】
図３に明示するように、前記運転部には、座席支持台８の上部に連結した前記運転座席３、前記座席支持台８の前側に位置する運転ステップ９、運転ステップ９の前端側に連設した操縦塔１０、運転ステップ９の機体内側の横側に位置するサイドカバー１１、このサイドカバー１１の上部に連設してあるサイド運転パネル１２、運転ステップ９の機体横外側に運転ステップ９の上面より一段下がって位置する乗降用ステップ１３、座席支持台８の横側壁部の前角部に連設した乗降用把手１４を備えてある。
【００２６】
前記操縦塔１０は、運転座席３の前方に位置するフロント運転パネルを操縦塔１０の上板部１０ａで形成するように、かつ、機体の操向操作を行う運転レバー１６を操縦塔１０の上板部１０ａで支持するように、さらには、運転者が身体の安定化を図るべく支持するための固定ハンドル１８を操縦塔１０の両横板部１０ｂで支持するように作成してある。
【００２７】
前記サイドカバー１１は、運転ステップ９上のスペースの機体内側における座席支持台８と操縦塔１０との間を閉じて原動部で発生する熱気や騒音、刈取り前処理部６で発生する塵埃などが運転部に入り込むことを防止する遮蔽部材になるように形成してある。
【００２８】
図３及び図４に明示するように、前記座席支持台８は、原動部のエンジン２やその付属機器の上方を覆うとともに運転座席３が載るように形成した天板部８ａと、エンジン２やその付属機器の後側を覆うとともに上端側が運転座席３の後側をカバーするように形成した後縦壁部８ｂと、エンジン２やその付属機器の機体横外側を覆うとともに上端側が運転座席３の横側をカバーするように、かつ、前記乗降用把手１４を支持するように形成した横側壁部８ｃと、エンジン２やその付属機器の前方側を覆うように、かつ、エンジン燃焼用空気の取入れ口８ｅを備えるように形成した前縦壁部８ｄとから成るエンジン用のボンネットに形成してある。
【００２９】
座席支持台８の前記天板部８ａ、後縦壁部８ｂ、横側壁部８ｃ及び前縦壁部８ｄのそれぞれを合成樹脂で成型することによって、座席支持台８を軽量化するように合成樹脂製にしてある。運転ステップ９の床板９ａ及び床板９ａの両端側に連結する横側板９ｄを有するステップ本体を合成樹脂で成型することにより、運転ステップ９を軽量化するように合成樹脂製にしてある。操縦塔１０の前板部１０ｃ、上板部１０ａ及び両横板部１０ｂ，１０ｂのそれぞれを合成樹脂で成型することによって、操縦塔１０を軽量化するように合成樹脂製にしてある。
【００３０】
座席支持台８、運転ステップ９及び操縦塔１０を、別々に合成樹脂で成型した後にねじとか接着材とかの連結手段によって連結するか、あるいは、同時に合成樹脂で成型することによって、座席支持台８の前端側と運転ステップ９の後端側とを、運転ステップ９の前端側と操縦塔１０の下部とをそれぞれ連結してある。前記サイドカバー１１を座席支持台８、運転ステップ９及び操縦塔１０とは別の部品に作製し、サイドカバー１１の前端側を操縦塔１０の機体内側の横側壁部１０ｂに、サイドカバー１１の後端側を座席支持台８の天板部８ａ及び前縦壁部８ｄの機体内側端部にそれぞれ連結してサイドカバー１１が操縦塔１０と座席支持台８の機体内側どうしにわたって連結するように構成してある。すなわち、座席支持台８と運転ステップ９と操縦塔１０とを、座席支持台８と操縦塔１０の機体内側の横端側どうしがサイドカバー１１によって連結された一つの構造体に構成してある。
【００３１】
サイドカバー１１としては、座席支持台８、運転ステップ９及び操縦塔１０の三部材とは別部材に作製して座席支持台８と操縦塔１０とにわたって連結する他、つぎの構成を採用して実施してもよい。すなわち、サイドカバー１１を座席支持台８、運転ステップ９及び操縦塔１０の三部材を合成樹脂で同時に成型する際に同時に成型して、座席支持台８、運転ステップ９及び操縦塔１０との一体部品に作製することにより、サイドカバー１１が合成樹脂製になるとともに座席支持台８と操縦塔１０とにわたって連結するように構成して実施してもよい。また、サイドカバー１１を座席支持台８、運転ステップ９及び操縦塔１０のうちの一つ又は２つの部材と同時に合成樹脂で成型するとともに、この成型によっては連結しない座席支持台８と操縦塔１０の一つまたは両方に対しては成型後にねじや接着などの連結手段で連結することにより、サイドカバー１１が合成樹脂製になるとともに座席支持台８と操縦塔１０とにわたって連結するように構成して実施してもよい。
【００３２】
操縦塔１０の下部を走行機体の機体フレーム１９に連結する支持ブラケット１９ａに走行機体横向きの軸芯Ｐまわりで回動自在に連結することにより、座席支持台８、運転ステップ９及び操縦塔１０を、走行機体に前記軸芯Ｐまわりで一体に回動操作できるように支持させ、座席支持台８と運転ステップ９と操縦塔１０とを図５に実線で示す開き位置と、図１に示す閉じ位置とに一挙に切り換えできるようにしてある。すなわち、座席支持台８、運転ステップ９及び操縦塔１０を形成している一つの構造体を前記軸芯Ｐまわりで走行機体に対して回動操作し、図５に実線で示すように、座席支持台８が走行機体フレーム１９から上方に離間する状態にすると、前記構造体が前記開き位置になって座席支持台８が原動部のエンジン２を、運転ステップ９が原動部の前側をそれぞれ開放する。このとき、サイドカバー１１が刈取り前処理部６の横側を開放する。図１に示すように、座席支持台８が走行機体フレーム１９に載る状態にすると、前記構造体が前記閉じ位置になり、座席支持台８がエンジン２とその付属機器を、運転ステップ９が原動部の前側をそれぞれ覆うようになる。このとき、サイドカバー１１が刈取り前処理部６の横側を覆うようになる。
すなわち、作業を行うなど通常時は、座席支持台８、運転ステップ９及び操縦塔１０を前記閉じ位置にして、原動部のエンジン２やその付近を座席支持台８、運転ステップ９及びサイドカバー１１でカバーしておくとともに運転座席３などの使用を可能にする。そして、原動部のエンジン２などを点検したり修理するとか、エンジン２の回転出力がクローラ走行装置１を駆動する走行ミッションに伝達される伝動機構を点検したり修理するとかの際には、座席支持台８、運転ステップ９及び操縦塔１０を前記開き位置に切り換え、座席支持台８でカバーされる部分の他に運転ステップ９でもサイドカバー１１でもカバーされる部分も開放し、広い作業用スペースを確保して作業する。
【００３４】
図６は、さらに別の実施形態を備える運転部構造を示し、座席支持台８、運転ステップ９、操縦塔１０及びサイドカバー１１が走行機体に対して一体に回動する走行機体横向きの軸芯Ｐを操縦塔１０の上端部に配置してある。すなわち、座席支持台８が閉じ位置から上昇していくに伴って操縦塔１０の上端側が軸芯Ｐより機体前方側に突出していくことになっても、その突出長さが極力小になるように配置してある。これにより、刈取り前処理部６の機体横方向に並ぶ複数の引き起こし装置６ａ，６ｂのうちの最も運転部側に位置する引き起こし装置６ｂの一部が操縦塔１０の直前方に位置しているとともに、座席支持台８を閉じた際の操縦塔１０と前記引き起こし装置６ｂとの間隔が狭くなっても、その間隔の割りには、操縦塔１０が引き起こし装置６ｂに当たらないで座席支持台８が機体フレーム１９から大きく上昇開放して原動部を大幅に開放する。
【００３５】
図７は、さらに別の実施形態を備えるコンバインを示し、走行機体の後部にエンジン２を有する原動部を設け、この原動部から穀粒タンク５と脱穀装置４の間を通って走行機体の前端側に至るベルト式伝動機構２０により、エンジン２の回転出力を走行ミッション２１に伝達するように構成してある。
そして、通常時は、座席支持台８、運転ステップ９、操縦塔１０及びサイドカバー１１を実線で示す前記閉じ位置にして、前記ベルト伝動機構２０のうちの穀粒タンク５より前側に位置する伝動機構部分２０ａや走行ミッション２１の入力部を座席支持台８、運転ステップ９及びサイドカバー１１でカバーしておくとともに運転座席３などの使用を可能にする。そして、前記伝動機構部分２０ａや走行ミッション２１を点検したり修理するとかの際には、座席支持台８、運転ステップ９、操縦塔１０及びサイドカバー１１を二点鎖線で示す前記開き位置に切り換え、伝動機構部分２０ａや走行ミッション２１を開放して作業する。
【図面の簡単な説明】
【図１】コンバイン全体の側面図
【図２】コンバイン全体の平面図
【図３】運転部の斜視図
【図４】運転部の分解斜視図
【図５】構造体の開き操作状態での側面図
【図６】別の実施形態を備える運転部の構造体開き操作状態での側面図
【図７】別の実施形態を備えるコンバイン全体の側面図
【符号の説明】
２    エンジン
３    運転座席
５    穀粒タンク
８    座席支持台
８ｆ  座席支持台の後端箇所
９    運転ステップ
１０    操縦塔
１９    機体フレーム
Ｐ      軸芯
【図１】
0003615945.tif 000002
【図２】
0003615945.tif 000003
【図３】
0003615945.tif 000004
【図４】
0003615945.tif 000005
【図５】
0003615945.tif 000006
【図６】
0003615945.tif 000007
【図７】
0003615945.tif 000008